(57)【要約】【課題】 給湯機能と給茶機能とを保持しながら簡単な構成で小型にでき、かつ安価な飲用材料供給機能付電気ポットを提供する。【解決手段】  貯湯用の内容器４と内容器４の底部に位置する加熱源９と貯湯を吐出する吐出口とを有する電気ポット部２及び粉末のお茶を貯蔵するホッパー１５と粉茶をホッパー１５から排出する材料排出口と粉茶を材料排出口に搬送する供給機１７とを有する飲用材料供給機部３とを一体的に備え、飲用材料供給機部３を防湿する防湿（加熱）機構を設けたことを特徴とする。【選択図】  図４
2005287643.tif 000002
【特許請求の範囲】
【請求項１】
貯湯用の内容器と該内容器の底部に位置する加熱源と貯湯を吐出する吐出口とを有する電気ポット部及び粉末の飲用材料を貯蔵するホッパーと飲用材料を該ホッパーから排出する材料排出口と飲用材料を該材料排出口に供給する供給機とを有する飲用材料供給機部とを備えて一体的に形成し、該飲用材料供給機部を防湿する防湿機構を設けたことを特徴とする飲用材料供給機能付電気ポット。
【請求項２】
前記防湿機構は前記電気ポット部と前記飲用材料供給機部の間に空気が移動する空気通路が設けられてなる請求項１に記載の飲用材料供給機能付電気ポット。
【請求項３】
前記防湿機構は前記電気ポット部の前記加熱源の熱で加熱された空気を前記飲用材料供給機部へ流すようにされてなる請求項１又は２のいずれか１項に記載の飲用材料供給機能付電気ポット。
【請求項４】
前記防湿機構は、電気ポット部と前記飲用材料供給機部の上部で接続された接続部に前記空気通路を備えてなる請求項１ないし３のいずれか１項に記載の飲用材料供給機能付電気ポット。
【請求項５】
前記防湿機構は下部に設けた吸気口と前記飲用材料供給機部の上部に設けた排気口とを備えてなる請求項１ないし４のいずれか１項に記載の飲用材料供給機能付電気ポット。
【請求項６】
前記防湿機構は前記電気ポット部にファンを備えてなる請求項１ないし５のいずれか１項に記載の飲用材料供給機能付電気ポット。
【請求項７】
前記防湿機構は前記電気ポット部の上部に接触する熱伝部材を備えてなる請求項１ないし６のいずれか１項に記載の飲用材料供給機能付電気ポット。
【請求項８】
前記防湿機構は前記飲用材料供給機部に発熱部材が設けられてなる請求項１ないし７のいずれか１項に記載の飲用材料供給機能付電気ポット。
【請求項９】
前記防湿機構は前記供給機に面状の発熱部材が設けられてなる請求項１ないし８のいずれか１項に記載の飲用材料供給機能付電気ポット。
【発明の詳細な説明】
【技術分野】
【０００１】
本発明は、家庭やオフィス等で使用する飲用材料供給機能付電気ポットに関し、より詳細には小人数の利用者に使用されるのに適する飲用湯を供給する電気ポット部と粉末状の飲用材料を貯蔵し所定量ずつ排出する飲用材料供給機部とを備えた飲用材料供給機能付電気ポットに関するものである。
【背景技術】
【０００２】
従来より家庭やオフィスでは電気ポットが広く使われている。コーヒーや緑茶が飲まれることが多く、コーヒーの場合には即席の粉末コーヒーをそのままコップ等の飲用容器に入れて湯を注いで喫茶するのが一般的であり、緑茶の場合には茶葉を抽出容器や茶漉しに入れて湯を注いで喫茶するのが一般的である。最近は茶葉を粉状にし、この粉茶を飲用容器に入れて湯を注いでそのまま喫茶することが増えている。そこで、電気ポットと給茶機とが一体になっていれば飲用の際に便利である。ところが、家庭やオフィスで使用するような小規模の給茶機能付の電気ポットの使い勝手のよいものがない。
【０００３】
ところで、飲用湯を貯える貯湯用の内容器と該内容器の底部に位置する加熱源と貯湯を吐出する吐出口とを有した電気ポットは公知である（例えば、特開２００３−２４５２００号公報参照）。また、業務用の給湯機構と、茶葉交換機構とを備えた給茶機も公知である（例えば、特開２０００−１４５５３号公報参照）。このものは、容器を置いて一定量の茶葉と適温の湯とを自動的に供給するようにしている。
【０００４】
【特許文献１】特開２００３−２４５２００号公報
【特許文献２】特開２０００−１４５５３号公報
【発明の開示】
【発明が解決しようとする課題】
【０００５】
しかしながら、上記電気ポットだけのものは、従来通りいちいち飲用容器に飲用材料をスプーン等で入れて湯を注がねばならず、不便であった。また、自動計量供給する給茶機を電気ポットと別々に備えたものでは、計量の手間が省けるので少しは便利になるが、別々に設置するのでそれだけ設置面積が大きくなる。そのため、両方を設置するのに十分な空間を確保できないところでは、容器を大きく移動して置き換えねばならず、使い勝手が悪い。
【０００６】
また、後者の特許文献２のものは、容器の移動が不要であり、使い勝手はよいが、装置全体がきわめて大きく、家庭やオフィスの片隅において利用することが難しかった。
さらに、粉末の飲用材料は湿りやすく、湿ると凝固したり、風味が劣化したりする。
【０００７】
本発明は、上記の問題点に鑑みてなされたもので、給湯機能と給茶機能とを保持しながら簡単な構成で小型にでき、かつ安価な、しかも粉末飲用材料が湿るのを防ぐようにした飲用材料供給機能付電気ポットを提供することを目的とする。
【課題を解決するための手段】
【０００８】
上記の目的を達成するために、本発明の飲用材料供給機能付電気ポットは、貯湯用の内容器と該内容器の底部に位置する加熱源と貯湯を吐出する吐出口とを有する電気ポット部及び粉末の飲用材料を貯蔵するホッパーと飲用材料を該ホッパーから排出する材料排出口と飲用材料を該材料排出口に供給する供給機とを有する飲用材料供給機部とを備えて一体的に形成し、該飲用材料供給機部を防湿する防湿機構を設けたことを特徴とする。
【０００９】
また、本発明の請求項２に係る飲用材料供給機能付電気ポットは、電気ポット部と前記飲用材料供給機部の間に設けられた空気が移動する空気通路で構成した防湿機構を備えてなる。
また、本発明の請求項３に係る飲用材料供給機能付電気ポットは、電気ポット部の加熱源の熱で加熱された空気を飲用材料供給機部へ流すようにした防湿機構を備えて構成した。
【００１０】
本発明の請求項４に係る飲用材料供給機能付電気ポットは、電気ポット部と飲用材料供給機部の上部で行われた接続部に空気通路が形成された防湿機構を備えてなる。
本発明の請求項５に係る飲用材料供給機能付電気ポットは、下部に設けた吸気口と前記飲用材料供給機部の上部に設けた排気口とを設けてなる。
本発明の請求項６に係る飲用材料供給機能付電気ポットは、前記電気ポット部にファンを備えてなる。
【００１１】
本発明の請求項７に係る飲用材料供給機能付電気ポットは、電気ポット部の上部に接触する熱伝部材を備えてなる。
本発明の請求項８に係る飲用材料供給機能付電気ポットは、飲用材料供給機部に発熱部材を備えてなる。
【００１２】
本発明の請求項９に係る飲用材料供給機能付電気ポットは、飲用材料供給機に面状の発熱部材が設けられてなる防湿機構を備える。
【００１３】
本発明において、喫茶に供する飲用材料としては、粉茶、即席コーヒー等の湯に溶解又は分散させて、そのまま飲むことができるものを意味する。
【発明の効果】
【００１４】
本願の請求項１の発明によれば、粉茶供給機能付電気ポットは電気ポットと粉茶供給機とを別々に構成しなくてもよいから、使い勝手がよく、お茶等の喫茶が簡単で便利になる。また、電気ポットと粉茶供給機の共通の機能を１つの構成とすることができるので装置を簡単にできると共に小型にできてコストを低減できる。小型にできるから従来の電気ポットと同様に狭い場所にも置くことができる。さらに、特別に加熱源を設けないでも飲用材料供給機部を加熱でき、コストの上昇を抑え、飲用材料が湿るのを防ぐことができ、飲用材料の凝固や風味の劣化を防ぐことができる。
【００１５】
本願の請求項２に係る発明によれば、請求項１の発明の効果に加えて、外観上変更せずに電気ポット部の放熱が利用できるので、さらに効果的に飲用材料が湿るのを防ぐことができ、飲用材料の湿りによる凝固や風味の劣化を防ぐことができる。
本願の請求項３に係る粉茶供給機能付電気ポットは、請求項１の発明の効果に加えて、特別に加熱源を設けないでも飲用材料供給機部を加熱でき、コストの上昇を抑え、飲用材料が湿るのを防ぐことができ、飲用材料の湿りによる凝固や風味の劣化を防ぐことができる。
【００１６】
本願の請求項４に係る飲用材料供給機能付電気ポットによれば、請求項１の発明の効果に加えて、電気ポット部で加熱されて温度が高くなった空気が容易に飲用材料供給機部に移動するので、よく加熱することができ、飲用材料が湿るのを確実に防ぐことができ、飲用材料の湿りによる凝固や風味の劣化を防ぐことができ、コストの上昇を抑えることができる。
本願の請求項５に係る飲用材料供給機能付電気ポットによれば、請求項１の発明の効果に加えて、温度上昇した空気の流れがさらによくなり、飲用材料供給機部を加熱できるので、構造を複雑にしないでコストの上昇を抑え、飲用材料が湿るのを防ぐことができ、飲用材料の湿りによる凝固や風味の劣化を防ぐことができる。
本願の請求項６に係る飲用材料供給機能付電気ポットによれば、請求項１の発明の効果に加えて、電気ポット部の肩部の熱を効果的に利用できるので、コストの上昇を抑え、飲用材料供給機部を良好に加熱することができ、飲用材料の湿りによって凝固したり風味が劣化したりするのを防ぐことができる。
【００１７】
本願の請求項７に係る飲用材料供給機能付電気ポットによれば、請求項１の発明の効果に加えて、電気ポット部の肩部の熱を効果的に利用できるので、コストの上昇を最小限に抑え、飲用材料供給機部を良好に加熱することができ、飲用材料が湿って凝固したり風味が劣化したりするのを防ぐことができる。
本願の請求項８に係る飲用材料供給機能付電気ポットによれば、請求項１の発明の効果に加えて、確実に飲用材料供給機部を加熱できるから、飲用材料供給機及びホッパーでの湿りを防ぎ、湿りによる飲用材料の凝固や風味の劣化をなくせる。
【００１８】
本願の請求項９に係る飲用材料供給機能付電気ポットによれば、請求項１の発明の効果に加えて、電気ポットを大型化することなく、効果的にコストの上昇を抑え、飲用材料供給機及びホッパーでの湿りを防ぎ、湿りによる飲用材料の凝固や風味の劣化をなくせる。
【発明を実施するための最良の形態】
【００１９】
以下、添付の図面を参照して、本願発明の実施の形態について詳述する。以下に飲用材料として粉茶の例について説明する。この説明は本発明の１具体例であって、特許請求の範囲の記載事項を限定するものではない。図１ないし図８は、本願発明の第１の実施の形態にかかる粉茶供給機能付電気ポットを示す図である。
【００２０】
本発明の粉茶供給機能付電気ポットは、共通本体１と、共通本体１の正面に向かって右側に配置した電気ポット部２と、正面に向かって左側に配置した粉茶を供給する粉茶供給機部３とを備え、外形が一体に構成されている。
【００２１】
図１ないし図５に示すように、電気ポット部２は、お湯を貯溜する湯沸かし用の内容器４と、該内容器４の上部開口を開閉する蓋体５と、お湯を飲用の容器Ｃに注ぐ吐出口６と、内容器４内のお湯を吐出口６へ送るための給湯通路７と、該給湯通路７の途中に設けられた電動ポンプ８と、内容器４内の水を加熱する加熱源である電気ヒータ９とを備えて構成されている。
【００２２】
容器本体１は、外側面を構成する合成樹脂製の外ケース１０と、外ケース１０内に配設された内容器４の上部外周部と外ケース１０の上部とを結合する合成樹脂製の上面部材１１と、底面を構成する合成樹脂製の底部材１２とからなっている。
【００２３】
容器本体１の正面に向かって左側に配置した粉茶供給機部３は、粉茶を貯留するホッパー１５と粉茶を該ホッパー１５から粉茶排出口１６に供給する手段である供給機１７と、供給機１７を駆動するモータ１８とを備え、粉茶排出口１６と電気ポット２とを隔てるように隔壁１９が配置され、ホッパー１５の上部開口を開閉する材料部蓋２０が設けられている。
【００２４】
容器本体１の外周の半分を取り巻くように把手２１が設けられている。把手２１は容器本体１の電気ポット部２側で一端が支持され、他端が粉茶供給機部３側で支持され、容器本体１の前後面間で回動可能とされている。粉茶供給機能付電気ポットを運搬するのに便利なように把持部２２が形成され、把持部２２は電気ポット部２側に偏って配置され、ここを把持して運搬するときに電気ポット部２が傾いてすべるのを防ぐようにされている。
【００２５】
容器本体１の電気ポット部２の上部には電気ポット部２と粉茶供給機部３とを操作する共通の制御部のコントロールパネル２３が設けられ、上面にタッチパネル２４が配置されている。電気ポット部２と粉茶供給機部３とを操作する制御を共通のコントロールパネル２３で操作できるので、電気ポットを小型に、構造を簡単にすることができ、粉茶供給と給湯を１箇所のタッチパネル２４で操作でき、使い勝手をよくすることができる。
【００２６】
さらに、電気ポット部２の蓋体５には、蓋開閉用レバー２５、蒸気逃がし口２６などが設けられている。
【００２７】
内容器４は、ステンレス製の略円筒形状の内外筒から構成された二重壁構造を有しており、内外筒は上端の開口端で連結されると共に、底部で連結されて二重壁部は真空にされている。そして内容器４の底部中央には、内径側を上方に凸となすことによりくぼみ部１３が形成され、くぼみ部１３に電気ヒータ９が配設されると共に、この中央部に温度センサ１４が設けられている。
【００２８】
電気ヒータ９は、マイカヒータからなっており、湯沸かしヒータと、保温ヒータとによって構成されている。電気ヒータ９から熱を伝達して内容器４の放熱部を加熱し、この放熱部から内容器４内に入れた湯を加熱し、保温する。
【００２９】
また、内容器４の底部には、お湯を外部へ導出するための導出口２７が設けられ、給湯通路７により途中に設けられた電動ポンプ８を経て吐出口６に接続されている。お湯を吐出させるため、操作パネル２４のタッチスイッチを押して電動ポンプ８を作動させることで、お湯を電動ポンプ８により導出口２７を経て内容器４内から導出し、給湯通路７を流して吐出口６から飲用容器に注ぐ。
【００３０】
飲用容器に粉茶を供給する粉茶排出口１６は、電気ポット部２の吐出口６より下方に位置して、粉茶供給機能部３のホッパー１５に接続して設けられている。お湯の吐出口６より下方に位置しているので、吐出口６から立ち上る湯気は、粉茶排出口１６には流れないこととなり、粉茶が吐出口６から流れる湯気で湿らせられることがない。
【００３１】
また、粉茶供給機能部３を共通本体１の正面に向かって左側に配置する構成とすると、先ず、飲用容器を粉茶排出口１６の下に置き、粉茶供給機能部３の上面にある押しボタン２８を押して粉茶を飲用容器に入れ、それから、飲用容器を電気ポット部２の吐出口６の下に移し、電気ポットの給湯ボタンを押すという操作をする場合、動作が円滑にでき、使い勝手がよい。
【００３２】
粉茶供給機能部３と電気ポット部２とは、共通本体１内に収容されている。粉茶供給機能部３と電気ポット部２とは内部では完全には仕切られてはいないが、外部、特に粉茶排出口１６とお湯を出す吐出口６とは直線的に対向しないように、隔壁１９を共通本体１と一体に形成している。
【００３３】
図４に示すように、粉茶排出口１６に粉茶を送る供給機１７は、スクリューコンベヤ等の搬送機が使用され、粉茶を所定量ずつ粉茶排出口１６から飲用容器に供給する供給機構を構成している。スクリューコンベヤ１７はホッパー１５の下部に取り付けられ、ホッパー１５と共に共通本体１に収容されている。
【００３４】
ホッパー１５は、上面が大きく開口した箱状をなし、下方細りに形成され、上面の開口は開閉可能な材料部蓋２０で覆うように構成にしている。ホッパー１５の開口部の縁と材料部蓋２０とは密封性をよくするようにシール部材を介在させて閉鎖する。ホッパー１５の下端部の開口に沿ってスクリューコンベヤ１７が設けられて閉鎖され、ホッパー１５の出口、すなわちスクリューコンベヤ１７の材料送出口が開口している。そして、この材料送出口の外側に図示していない弁体が開口を開閉するように設けられ、材料送出口周囲を包囲して案内筒部材３１が配置されている。
【００３５】
また、ホッパー１５の周囲を包囲するように仕切部材２９が設けられ、電気ポット部２と粉茶供給機部３とが上部で接続する接続部とされている。仕切部材２９でホッパー１５の周囲の一部が包囲されると共に、電気ポット部２と粉茶供給機能部３との間に空気が移動する空気通路４１が形成されている。また、電気ポット２の下部の内容器４の底下部にも空気通路４０が形成されている。そして、電気ポット２の下部で暖められた空気は矢印イ、矢印ロのように移動し、内容器４の周囲で加熱された空気は矢印ロのように流れ、ホッパー１５の周囲を加熱する。この加熱により、ホッパー内の粉茶が湿るのを防げる。
【００３６】
スクリューコンベヤ１７の一端側には伝動機構の歯車が設けられ、これを駆動するモータ１８が連結されている。スクリューコンベヤ１７の他端側の粉茶排出口１６側には図示していない弁体と、この弁体に連結した作動片と、この作動片を作動することにより弁体を開閉させるソレノイドが設けられている。
【００３７】
上記のように構成してなる粉茶供給機能付電気ポットの作用を以下に簡単に説明する。
電気ポット部２は、従来の電気ポットと同様な作用により、お湯が使用できる状態にする。粉茶供給部３では、ホッパー１５の材料部蓋２０を開いて粉茶を入れて、材料部蓋２０を押しつけるように閉じる。すると、材料部蓋２０に設けられているロック機構が働いて、ホッパー１５が機密に封鎖され、粉茶が貯留され、粉茶供給が可能となる。
【００３８】
喫茶するには、先ず、飲用容器を粉茶供給部３の粉茶排出口１６の下部に置く。このとき、電気ポット部２との間に隔壁１９があると共に、前面壁１９ａがあるので、飲用容器の位置決めが便利である。
【００３９】
次いで、押さえスイッチ２８を押して粉茶を飲用容器に入れる。押さえスイッチ２８を押すと、モータ１８，ソレノイドが働き、粉茶を一定時間（所定量）ホッパー１５から送出し、それを案内筒部材を通ってその粉茶排出口１６から飲用容器に供給される。この粉茶の供給動作は、押さえスイッチ２８を一度押すと、押さえ時間の長短にかかわらず、一定時間供給機１７を駆動すると共に、ソレノイドが働き、弁体を回動させ、ホッパー１５の材料送出口を開けるように構成されている。
次いで、粉茶入りの飲用容器を電気ポット部２に移し、従来の電気ポットと同様に、操作パネル２４のお湯注ぎのスイッチを操作して、お湯を飲用容器に注ぐ。
【００４０】
以上のように、粉茶供給機能部と電気ポット部と共通本体に一体に設けているので、使い勝手がよく、お茶等の喫茶が簡単で便利になる。また、電気ポットと粉茶供給機の共通の機能を１つの構成とすることができるので装置を簡単にできると共に小型にできてコストを低減できる。さらに、小型にできるから従来の電気ポットと同様に狭い場所にも置くことができる。
【００４１】
また、電気ポット２の下部で暖められた空気が自然に上昇し、仕切部材２９が加熱されることにより、ホッパー１５の周囲が加熱されるので、ホッパー内の粉茶が湿るのが防がれる。
【００４２】
なお、上記実施の形態において、給茶操作のスイッチを粉茶供給機能部で行う例で説明したが、これに限られるものでなく、電気ポット部の操作パネルで行うように構成してもよい。また、電気ポット部の湿り、特に水分が粉茶に影響しないようにした電気ポットの、ホッパー部を加熱する他の方法の例として、図６に示すように構成することができる。
【００４３】
図６は、粉茶供給機能付電気ポットのこの実施形態の他の例を示す斜視図である。図６において上記の実施の形態と機能が類似または同一の部分については、同一の符号を付して詳細な説明は省略する。
共通本体１の外ケース１０の粉茶供給機側の下部に吸気口４２を形成し、それより上方に排気口４３を形成し、本体ケース１内に形成された図示していない空気通路に接続している。排気口４３から排気される空気に吸引されて吸気口４２から空気が吸入され、対流が促進される。また、電気ポット部の熱で加熱されて、軽くなった空気が空気通路となるホッパー周辺部を通ってこれを加熱して排気口４３から排出される。この構成によれば、特別なヒータを設けないので、構造は簡単でコストをそれほど上昇させることがない。しかも、ホッパー周辺部の空気対流または加熱により、湿気が防がれ、粉茶が湿るのを防ぐことができ、味が劣化するのを防ぐことができる。
【００４４】
また、図７は粉茶供給機能付電気ポットの第１の実施の形態の他の例の要部を示す断面図である。図７において上記の実施の形態と機能が類似または同一の部分については、同一の符号を付して詳細な説明は省略する。粉茶供給機部３のホッパー１５の下部のスクリューコンベヤ１７の材料送出口外側に弁体３０が開口を開閉するように設けられ、材料送出口周囲を包囲して案内筒部材３１が配置されている。案内筒部材３１内が湿らないように加熱空気を流す空気移動通路を形成するように、案内筒部材３１の上端に開口４４を設け、スクリューコンベヤ１７との接続部にも開口４５を設けている。材料送出口まわりに加熱空気を流すようにしている。この場合において、強制的に加熱空気を流すように、ファン等を設ける構成とすると、一層効果的に加熱空気を流すことができ、粉茶が湿るのを良好に防ぐことができる。なお、図７中、符号３２は弁体３０を作動する作動片で、弁体３０に連結し、図示していないソレノイドに作動され、弁体３０を開閉して、粉茶を所定量ずつ排出させる。
【００４５】
また、図８は粉茶供給機能付電気ポットの第１の実施の形態のさらに他の例の要部を示す断面図である。図８において上記の実施の形態と機能が類似または同一の部分については、同一の符号を付して詳細な説明は省略する。
電気ポット部２の内容器４底部を支える合成樹脂製の底部材１２にファン４７を設けると共に、ファン４７の吐出端に空気通路４０を接続している。
このようにファン４７を設けて空気を内容器４の周囲を強制的に流すことにより、加熱された空気を粉茶供給機部に確実に送ることができ、粉茶の湿りを防ぐことができる。
【００４６】
また、図９は粉茶供給機能付電気ポットの第２の実施の形態の要部を示す断面図である。図９において上記の実施の形態と機能が類似または同一の部分については、同一の符号を付して詳細な説明は省略する。
電気ポット部２の内容器４の上部に一端を接触させ、他端を仕切部材２９に接触させて熱伝板４８が設けられて構成されている。電気ポット部２の放熱の大きいところは内容器４の肩部と底部であるが、特に肩部の放熱を利用する構成である。熱伝板４８としては、熱伝導性に優れた金属が好ましいが、コストと耐久性の点でステンレス製の板材が使用できる。熱伝板４８は内容器４に接触した側が高温になると、低温側の粉茶供給機能部２の接触部に熱を伝え、そこを加熱すると共に、その熱伝板４８周囲の空気を加熱して空気の移動を促す。移動する加熱された空気は接触する部分を加熱する。これにより粉茶を取り扱う粉茶供給機能部２が加熱され、粉茶が湿るのを防ぐことができる。
【００４７】
図１０は粉茶供給機能付電気ポットの第２の実施の形態の他の実施例の要部を示す断面図である。図１０において上記の実施の形態と機能が類似または同一の部分については、同一の符号を付して詳細な説明は省略する。この実施の形態における粉茶供給機能付電気ポットは、粉茶供給機能部３のホッパー１５の下部の粉茶Ｔが貯留されている外側からスクリューコンベヤ１７の送出口側にかけてその外側面にヒータ４９が設けられて構成されている。このヒータ４９としては、アルミテープヒータ、セラミックヒータ等名称のいかんを問わずシート状のものが適する。これにより粉茶と外気の接触する可能性の高い部分を加熱できるので、効果的に粉茶が湿るのを防ぐことができる。
【００４８】
図１１は上記第２の実施の形態の他の実施例の変形例の要部を示す断面図である。図１１において上記の実施の形態と機能が類似または同一の部分については、同一の符号を付すると共に詳細な説明は省略する。この実施の形態における粉茶供給機能付電気ポットは、粉茶供給機能部３のホッパー１５の下部の粉茶Ｔが貯留されている外側からスクリューコンベヤ１７の送出口側にかけてその外側面にヒータ４９が設けられている点は上記図１０に示す例と同じである。本変形例においてはヒータ４９はホッパー１５の下部の部分にのみ設けられ、その表面を伝熱板５０の一端側で覆い、伝熱板５０の他端側をホッパー１５の下部の粉茶Ｔが貯留されている外側から供給機１７の送出口側にかけ延ばして設けて構成されている。このようにするとヒータ４９を小型にできコストを低減することができる。
【００４９】
図１２は上記第２の実施形態のさらに他の実施例の要部を示す断面図である。図１２において上記の実施の形態と機能が類似または同一の部分については、同一の符号を付すると共に詳細な説明は省略する。この実施形態における粉茶供給機能付電気ポットは、粉茶供給機能部３のホッパー１５の周囲の仕切部材２９のほぼ垂直な面の外周部にほぼ全周にわたってヒータ４９が巻き付けるように設けられている。ほぼ全周にわたってヒータ４９が設けられることにより、ホッパー１５をほぼ全周にわたって加熱でき、均一に加熱できる。また、ヒータ４９としてはコードヒータが、垂直な面に密着性よく粘着等により設けることができると共に、電気絶縁性が十分に保持できるので好ましい。
【図面の簡単な説明】
【００５０】
【図１】本発明に係る粉茶供給機能付電気ポットの第１の実施の形態の正面図である。
【図２】その平面図である。
【図３】その斜視図である。
【図４】その一部を破断した正面図である。
【図５】図１のＡ−Ａ線に沿ってその一部を省略した断面図である。
【図６】本発明に係る粉茶供給機能付電気ポットの第１の実施の形態の他の例の斜視図である。
【図７】本発明に係る粉茶供給機能付電気ポットの第１の実施の形態のさらに他の例の要部の断面図である。
【図８】本発明に係る粉茶供給機能付電気ポットの第１の実施の形態のさらに他の例の要部の断面図である。
【図９】本発明に係る粉茶供給機能付電気ポットの第２の実施の形態の要部の断面図である。
【図１０】本発明に係る粉茶供給機能付電気ポットの第２の実施の形態の他の例の要部の断面図である。
【図１１】本発明に係る粉茶供給機能付電気ポットの第２の実施の形態の他の例の変形例の要部の断面図である。
【図１２】本発明に係る粉茶供給機能付電気ポットの第２の実施の形態のさらに他の例の要部の断面図である。
【符号の説明】
【００５１】
１  共通本体
２  電気ポット部
３  飲用材料（粉茶）供給機能部  
４  内容器
５  蓋体
６  吐出口
７  給湯通路
８  電動ポンプ
９  加熱源（電気ヒータ）
１０  外ケース
１１  上面部材
１５  ホッパー
１６  飲用材料（粉茶）排出口
１７  供給機（スクリューコンベヤ）
１８  モータ
１９  隔壁
２０  材料部蓋
２１  把手
２２  把持部
２４  操作パネル
２７  導出口
２８  押さえスイッチ
２９  仕切部材
４０、４１  空気通路
４２  吸気口
４３  排気口
４４、４５  開口
４６  空気通路
４７  ファン
４８  熱伝部材（板）
４９  ヒータ
５０  伝熱板
Ｃ    飲用容器
Ｔ    粉末飲用材料（粉茶）
Ｗ    湯
【図１】
2005287643.tif 000003
【図２】
2005287643.tif 000004
【図３】
2005287643.tif 000005
【図４】
2005287643.tif 000006
【図５】
2005287643.tif 000007
【図６】
2005287643.tif 000008
【図７】
2005287643.tif 000009
【図８】
2005287643.tif 000010
【図９】
2005287643.tif 000011
【図１０】
2005287643.tif 000012
【図１１】
2005287643.tif 000013
【図１２】
2005287643.tif 000014